(57)【要約】【課題】カウンターにアダプタを固定して、アダプタに対し水栓を固定することで水栓の高さを高くしても、水栓は必ず正面を向くようにする。【解決手段】吐水管５を備えた本体３の下部に円筒部６が形成され、該円筒部６は洗面台等のカウンター１２に穿設された取付孔１３に挿通し、カウンター１２に固定させることのできる水栓１と、該水栓１の円筒部６を収容可能な収容室１８が形成され、下部にはカウンター１２の取付孔１３を挿通する台座１６を備え、該台座１６を取付孔１３に挿通してカウンター１２に固定される高さ調節用のアダプタ１５とからなり、前記水栓１とアダプタ１５との間に、水栓１の円筒部６をアダプタ１５の収容室１８に収容時に水栓１の回転を防止する回転防止機構Ａと、水栓の抜け止めを行なう抜止機構Ｃとを備えた。【選択図】  図３
2004197489.tif 000002
【特許請求の範囲】
【請求項１】
吐水管を備えた本体の下部に円筒部が形成され、該円筒部は洗面台等のカウンターに穿設された取付孔に挿通し、カウンターに固定させることのできる水栓と、該水栓の円筒部を収容可能な収容室が形成され、下部にはカウンターの取付孔を挿通する台座を備え、該台座を取付孔に挿通してカウンターに固定される高さ調節用のアダプタとからなり、前記水栓とアダプタとの間に、水栓の円筒部をアダプタの収容室に収容時に水栓の回転を防止する回転防止機構と、水栓の抜け止めを行なう抜止機構とを備えたことを特徴とする水栓の取付構造。
【請求項２】
前記回転防止機構は、水栓の円筒部外周面に形成された雄セレーションと、アダプタに穿設されたねじ孔に螺着され雄セレーションに係合する固定具とからなることを特徴とする請求項１記載の水栓の取付構造。
【請求項３】
前記回転防止機構は、水栓の外周面に形成された雄セレーションと、アダプタの収容室内周面に形成され雄セレーションに係合する雌セレーションとからなることを特徴とする請求項１記載の水栓の取付構造。
【請求項４】
前記抜止機構は、水栓の外周面に形成された凹溝と、アダプタに穿設されたねじ孔に螺着され凹溝に係合する固定具とからなることを特徴とする請求項１乃至３の何れかに記載の水栓の取付構造。
【発明の詳細な説明】
【０００１】
【発明の属する技術分野】
本発明は、洗面台，流し台，浴室等でカウンターに固定される水栓の取付構造に関する。
【０００２】
【従来の技術】
従来、この種の水栓において、カウンターに固定される取付管の上端に水栓の本体を取り付けるに際し、取付管の上端と水栓の本体下端との間に、別体で形成したアダプタを介装させ、該アダプタは高さの異なるものを複数個用意し、カウンターからの高さを通常よりも高く設置することのできる水栓が公知である（例えば、特許文献１参照）。
【０００３】
【特許文献１】
特開平６−２１２６７１号公報
【０００４】
【発明が解決しようとする課題】
このように各現場に応じて、アダプタを選択して使用することで、水栓の高さ位置を変更することができれば、湯水が吐水される吐水管を最適の高さ位置とし、使い勝手のよいものとすることができる。ところが水栓は、本体部とアダプタとは互いのねじの螺着により固定されるので、本体部を回転させてアダプタに螺着した際に、水栓が必ずカウンターの正面を向くとは限らず、正面を向かない状態で固定されると、カウンターの正面に設けられた洗面器に向けて吐水管から湯水を吐水させることができず、湯水は洗面器からはみ出してしまうこととなり、その解決策が望まれていた。
【０００５】
この発明は、このような従来の技術に存在する問題点に着目したものであり、その目的は、カウンターにアダプタを固定して、アダプタに対し水栓を固定することで水栓の高さを高くしても、水栓は必ず正面を向くようにするものである。
【０００６】
【課題を解決するための手段】
本発明は請求項１では、吐水管を備えた本体の下部に円筒部が形成され、該円筒部は洗面台等のカウンターに穿設された取付孔に挿通し、カウンターに固定させることのできる水栓と、該水栓の円筒部を収容可能な収容室が形成され、下部にはカウンターの取付孔を挿通する台座を備え、該台座を取付孔に挿通してカウンターに固定される高さ調節用のアダプタとからなり、前記水栓とアダプタとの間に、水栓の円筒部をアダプタの収容室に収容時に水栓の回転を防止する回転防止機構と、水栓の抜け止めを行なう抜止機構とを備えたものである。
【０００７】
請求項２では、前記回転防止機構は、水栓の円筒部外周面に形成された雄セレーションと、アダプタに穿設されたねじ孔に螺着され雄セレーションに係合する固定具とからなるものである。
【０００８】
請求項３では、前記回転防止機構は、水栓の外周面に形成された雄セレーションと、アダプタの収容室内周面に形成され雄セレーションに係合する雌セレーションとからなるものである。
【０００９】
請求項４では、前記抜止機構は、水栓の外周面に形成された凹溝と、アダプタに穿設されたねじ孔に螺着され凹溝に係合する固定具とからなるものである。
【００１０】
【発明の実施の形態】
以下、本発明の実施の形態を図に基づいて詳細に説明する。
図１に示すように、本実施形態の水栓１は、湯水の温度及び流量を調節するための混合部材２が内部に収容される略円柱状の本体３と、該本体３の上部に取り付けられ、前記混合部材２と連繋して湯水の温度及び流量を調節するレバー４と、本体３の上下略中間部から正面に向けて水平方向に延出し、混合部材２により調節された湯水を外部へ吐水するための吐水管５とを備え、前記本体３の下部には円筒部６が形成されている。なお、水栓は本実施例のような湯水が吐水される混合水栓ではなく、水のみが吐水される単水栓でもよい。
【００１１】
図２に示すように前記円筒部６は本体３より小径の略円筒状に形成され、下端には前記混合部材２に水，湯を供給するための水供給管７と湯供給管８とが下部に延出するように接続され、下部外周面には雄ねじ９が形成されており、該雄ねじ９の上部は該雄ねじ９より大径で、外周面には回転防止機構Ａを構成する雄セレーション１０が縦方向に形成され、該雄セレーション１０の上部には、抜止機構Ｂを構成する凹溝１１が環状に凹設されている。なお、本実施例では雄セレーションの上部に凹溝を凹設しているが、雄セレーションの下部に凹溝を凹設してもよい。
【００１２】
前記水栓１は、円筒部６を洗面台，流し台，浴室等のカウンター１２に穿設された取付孔１３に上部から挿通し、カウンター１２の下部からナット１４を円筒部６の雄ねじ９に螺着することで、本体１とナット１４とによりカウンター１２を挟着してカウンター１２に固定される。なお、この場合円筒部６の雄ねじ９と取付孔１３の内周面との間に形成される隙間が広く、カウンター１２の下部とナット１４との間に、取付孔１３より大径に形成した座金１４ａ及びパッキン１４ｂを介在させている。
【００１３】
前記カウンター１２に固定される水栓１の位置を図１より高くする場合は、図３及び図４に示すように別に用意したアダプタ１５をカウンター１２に固定して、アダプタ１５に対し水栓１を固定する。アダプタ１５は略円筒状で、下部に台座１６を備え、該台座１６は取付孔１３より小径であり、外周面に雄ねじ部１７が形成されている。アダプタ１５は上下に貫通して収容室１８が形成され、該収容室１８には前記水供給管７と湯供給管８とが上下に挿通するもので、上部は水栓１の円筒部６を収容することのできる外径に形成されている。アダプタ１５の上部外周面には、水栓１を固定するためのねじ孔１９，２０が収容室１８に貫通して上下に一対穿設されている。下部に形成された第１ねじ孔１９は、水栓１の円筒部６を収容室１８に収容した場合に、円筒部６の雄セレーション１０と水平方向に向かい合い、該雄セレーション１０と固定具２１とにより回転防止機構Ａが構成され、固定具２１を第１ねじ孔１９に螺着すれば、固定具２１の先端は雄セレーション１０の隣り合う各溝の間に係合することで、水栓１がアダプタ１５に対し回転しないようにすることができる。また、第１ねじ孔１９の上部に形成された第２ねじ孔２０は、円筒部６の凹溝１１と水平方向に向かい合い、該凹溝１１と固定具２２とにより抜止機構Ｃが構成され、固定具２２を第２ねじ孔２０に螺着すれば、固定具２２の先端は凹溝１１に係合し、水栓１の円筒部６がアダプタ１５の収容室１８から上部に抜けることがないようにすることができる。なお、第１ねじ孔及び第２ねじ孔は筒部の外周面に複数個形成し、各ねじ孔に固定具を螺着するようにしてもよい。
【００１４】
前記アダプタ１５は台座１６をカウンター１２の取付孔１３に上部から挿通し、カウンター１２の下部からナット１４を雄ねじ部１７に螺着することで、本体１とナット１４とによりカウンター１２を挟着してカウンター１２に固定される。
【００１５】
水栓１をアダプタ１５に固定するには、水栓１の吐水管５を正面に向けた状態で、円筒部６をアダプタ１５の収容室１８に収容する。そして、アダプタ１５の第１ねじ孔１９に固定具２１を螺着すれば、固定具２１の先端が雄セレーション１０の溝と溝との間に係合し、アダプタ１５に対し水栓１が回転することがないようにすることができる。また、第２ねじ孔２０に固定具２２を螺着すれば、固定具２２の先端が環状の凹溝１１に係合し、水栓１はアダプタ１５から上部に抜けることがないようにすることができる。
【００１６】
以上のように本発明では、水栓の位置を高くするためアダプタの上部に水栓を固定する場合に、回転防止機構と抜止機構とにより水栓は台座に対し回転することがなく、かつ抜けることがないように固定することができ、吐水管の位置を必ず正面に向くようにすることができる。
【００１７】
図５及び図６はアダプタの別の実施例であり、アダプタの外周面に排水用のつまみを設けたものである。アダプタ１５ａは、上部外周面に水栓１を固定するためのねじ孔１９，２０が穿設されており、該ねじ孔１９，２０と上下同一軸線上で、下部外周面には挿通孔２３が収容室１８に向いて斜め下方に向かって貫通して形成されており、該挿通孔２３には洗面台，流し台，浴室等の排水栓を操作するためのつまみ２４が挿入され、該つまみ２４は台座１６の内部を貫通している。
【００１８】
前記アダプタ１５ａは排水用のつまみ２４が後側になるように向け、台座１６をカウンター１２の取付孔１３に上部から挿通し、カウンター１２の下部からナット１４を雄ねじ部１７に螺着することで、本体１とナット１４とによりカウンター１２を挟着してカウンター１２に固定される。
【００１９】
水栓１をアダプタ１５ａに固定するには、水栓１の吐水管５を正面に向けた状態で、円筒部６をアダプタ１５の収容室１８に収容する。そして、アダプタ１５の第１ねじ孔１９に固定具２１を螺着すれば、固定具２１の先端が雄セレーション１０の溝と溝との間に係合し、アダプタ１５に対し水栓１が回転することがないようにすることができる。また、第２ねじ孔２０に固定具２２を螺着すれば、固定具２２の先端が環状の凹溝１１に係合し、水栓１はアダプタ１５から上部に抜けることがないようにすることができる。
【００２０】
以上のように本実施例では、水栓の位置を高くするためアダプタの上部に水栓を固定する場合に、回転防止機構と抜止機構とにより水栓は台座に対し回転することがなく、かつ抜けることがないように固定することができ、排水用のつまみは後側になるように向け、かつ、吐水管の位置を必ず正面に向くようにすることができる。
【００２１】
図７はアダプタの更に別の実施例であり、この実施例では回転防止機構Ｂの構成が前記実施例と異なり、アダプタ１５ｂの収容室１８内周面には、水栓１の雄セレーション１０と向かい合う位置に雌セレーション２５が形成されている。この実施例の回転防止機構Ｂでは、固定具による係合に代えて、互いのセレーションによる係合により水栓は回転しないようにした。従って、固定具を螺着しなくても互いのセレーションの係合により水栓の回転防止を行なうことができる。なお、アダプタのその他の構成は前記実施例と同一であるので、詳細な説明を省略する。また、本発明の実施例で記述した回転防止機構及び抜止機構の構成はあくまで一例示であり、種々変更を加えた形態で構成可能である。
【００２２】
【発明の効果】
本発明によると、必要に応じて水栓の位置を高くすることができるうえ、水栓をアダプタに固定した場合に、水栓がアダプタに対し回転してしまったり、抜けることがなく、吐水管を必ず正面に向けることができる。
【図面の簡単な説明】
【図１】本発明の水栓をカウンターに取り付けた状態の説明図である。
【図２】水栓の円筒部の拡大説明図である。
【図３】アダプタをカウンターに固定し、アダプタに対し水栓を固定した状態の説明図である。
【図４】水栓及びアダプタの斜視図である。
【図５】本発明の別の実施例であり、アダプタをカウンターに固定し、アダプタに対し水栓を固定した状態の説明図である。
【図６】水栓及びアダプタの斜視図である。
【図７】更に別の実施例の説明図である。
【符号の説明】
１                        水栓
３                        本体
５                        吐水管
６                        円筒部
１０                      雄セレーション
１１                      凹溝
１２                      カウンター
１３                      取付孔
１４                      ナット
１５，１５ａ，１５ｂ      アダプタ
１６                      台座
１８                      収容室
１９                      第１ねじ孔
２０                      第２ねじ孔
２１，２２                固定具
Ａ，Ｂ                    回転防止機構
Ｃ                        抜止機構
【図１】
2004197489.tif 000003
【図２】
2004197489.tif 000004
【図３】
2004197489.tif 000005
【図４】
2004197489.tif 000006
【図５】
2004197489.tif 000007
【図６】
2004197489.tif 000008
【図７】
2004197489.tif 000009